(57)【要約】【課題】開閉操作性を悪化させないで、パネルと枠体側との間を確実にシールするパネル装置を提供する。【解決手段】パネル装置Ｒは、鍵棒４８を鍵穴４７に差し込んで正逆方向に回動すると、その回動方向に応じてスライドブロックが相反する上下方向に直線往復動する錠前３０と、スライドブロックにそれぞれリンク５０・６０の基端を連結し、各リンクの先端に連結したクランク５５・６５をそれぞれ回動可能にパネルＰの上下両端部に枢支したリンクユニット４０と、クランクが回動して押し当たると、その押当力の反作用により、パネルが、クランクの回動方向に応じて壁体の開口部Ｓの奥行方向Ｙ前後に移動し、ガイドレール１０・１１上をスライドする摺動位置と、枠体Ｆとの間の隙間を塞ぐシール部材Ｃに押し当たる封止位置との間をシフトするように案内する、シフトガイド手段Ｇを備える。【選択図】          図１
2010261148.tif 000002
【特許請求の範囲】
【請求項１】
壁体を形成するパネルを枠体内の天井側と床側のガイドレールに沿ってスライドさせて前記壁体の開口部を開閉するパネル装置において、
鍵棒を鍵穴に差し込んで正逆方向に回動させると、該鍵棒の回動方向に応じて第１および第２作動部材が相反する上下方向に直線往復動する錠前と、
該錠前の第１および第２作動部材にそれぞれリンクの基端を連結し、該リンクの先端に連結したクランクをそれぞれ回動可能に前記パネルの上下両端部に枢支したリンクユニットと、
前記クランクが回動して押し当たると、その押当力の反作用により、前記パネルが、前記クランクの回動方向に応じて前記開口部の奥行方向前後に移動し、前記ガイドレール上をスライドする摺動位置と、前記枠体との間の隙間を塞ぐシール部材に押し当たる封止位置との間をシフトするように案内するシフトガイド手段と、
を備えてなることを特徴とする、パネル装置
【請求項２】
前記シフトガイド手段は、
前記天井側ガイドレールに前記パネルを係止させるガイドプレートに、上部の前記クランクを係合する係合穴と、前記パネルの開閉方向に対して斜め向きにカム穴を設け、前記パネルの上端部に、前記カム穴に係合する上部ガイドを突設する一方、
前記パネルの下端部に前記カム穴と対応するカム穴を斜め向きに設け、前記床側ガイドレールに戸車を係合して前記パネルを走行させる戸車ユニットに、下部の前記クランクを係合する係合穴と、前記パネルのカム穴に係合する下部ガイドを突設し、
前記クランクが回動して前記係合穴の穴縁に押し当たると、その押当力の反作用により、前記パネルが、前記クランクの回動方向に応じて、前記カム穴に沿って前記開口部の奥行方向前後に平行に傾動して前記摺動位置と前記封止位置との間をシフトするように案内してなることを特徴とする、請求項１に記載のパネル装置。
【請求項３】
前記パネルには、外側に臨む鍵操作用の小穴を前記鍵穴の位置に合わせて穿設し、その小穴位置の内側に前記錠前を備えてなることを特徴とする、請求項１又は２に記載のパネル装置。
【発明の詳細な説明】
【技術分野】
【０００１】
本発明は、パネルを、枠体内で天井側と床側のガイドレールに沿ってスライドさせて壁体の開口部を開閉すると共に、枠体との間の隙間を塞ぐシール部材に押し当てて封止するのに好適なパネル装置に関する。
【背景技術】
【０００２】
最近のビル建築物では、コンクリート壁などに代えて、図１５に示すように、複数枚の金属製パネル１を横一列に引き通し状態で並設して面一な室内壁を形成したり、空調機やサーバ等を置いた通路との間を仕切る同じく面一な仕切壁を形成したりするが、従来、それら壁体２には、事務処理機器や空調機やサーバ等を出し入れできる一方、騒音も遮断できるように、パネル１を、枠体３内で天井側と床側のガイドレールに沿ってスライドさせて開閉すると共に、枠体３との間の隙間を塞ぐゴムパッキン等のシール部材に押し当てて封止する、パネル装置を備えている。
【０００３】
従来、この種のパネル装置の中には、図１６に示すように、戸車４を天井側レール５に係合し、床側レールにも戸車を係合してパネル１をスライド自在とする一方、パネル１を吸音効果のある芯部材６ａに遮音効果のあるシート部材６ｂを外被した遮断パッキン６に当接させて、パネル１と天井側レール５の隙間をシールして遮音する構造にしたものがある（特許文献１参照）。
【先行技術文献】
【特許文献】
【０００４】
【特許文献１】特開平９−４１８３７号公報
【特許文献２】実開昭６３−３７７１１号公報
【発明の概要】
【発明が解決しようとする課題】
【０００５】
ところが、従来のパネル装置には、パネル１を引いて開閉するとき、その都度、パネル１が遮断パッキン６に当接したまま摺動するため、パネル１は、遮断パッキン６と間の摩擦が抵抗になり、そのため、開閉動作が重たくて操作性が悪いという課題がある。
【０００６】
他方、パネルは、個々に建付けにがたつきがあったり変形していたり、他方、遮断パッキン６に長年の使用によりへたりが発生したりすると、個々のパネル１と遮断パッキン６の当接状態は一定でなくなってムラを生じ、そのため、パネル１と天井側レール５との間を完全にシールして遮音することができないという課題があった。
【０００７】
そこで、本発明の目的は、開閉操作性を悪化させないで、パネルと枠体側との間を確実にシールするパネル装置を提供することにある。
【０００８】
本発明の目的を達成すべく、請求項１に記載の発明は、たとえば以下に示す図示実施の形態のとおり、壁体を形成するパネルＰを枠体Ｆ内の天井側と床側のガイドレール１０・１１に沿ってスライドさせて前記壁体の開口部Ｓを開閉するパネル装置Ｒにおいて、鍵棒４８を鍵穴４７に差し込んで正逆方向Ａ・Ｂに回動させると、該鍵棒４８の回動方向に応じてスライドブロック４２・４３のような第１および第２作動部材が相反する上下方向に直線往復動する錠前３０と、該錠前３０の第１および第２作動部材にそれぞれリンク５０・６０の基端を連結し、該リンク５０・６０の先端に連結したクランク５５・６５をそれぞれ回動可能に前記パネルＰの上下両端部に枢支したリンクユニット４０と、前記クランク５５・６５が回動して押し当たると、その押当力の反作用により、前記パネルＰが、前記クランク５５・６５の回動方向に応じて前記開口部Ｓの奥行方向Ｙ前後に移動し、前記ガイドレール１０・１１上をスライドする摺動位置と、前記枠体Ｆとの間の隙間を塞ぐシール部材Ｃに押し当たる封止位置との間をシフトするように案内するシフトガイド手段Ｇと、を備えてなることを特徴とする。
【０００９】
請求項２に記載の発明は、請求項１に記載のパネル装置Ｒにおいて、たとえば以下に示す図示実施の形態のとおり、前記シフトガイド手段Ｇは、前記天井側ガイドレール１０に前記パネルＰを係止させるガイドプレート４５に、上部の前記クランク５５を係合する係合穴３６と、前記パネルＰの開閉方向Ｘに対して斜め向きにカム穴３５を設け、前記パネルの上端部に、前記カム穴３５に係合する上部ガイド７０を突設する一方、前記パネルＰの下端部に前記カム穴３５と対応するカム穴１５を斜め向きに設け、前記床側ガイドレール１１に戸車ｗを係合して前記パネルＰを走行させる戸車ユニット１９に、下部の前記クランク６５を係合する係合穴２２と、前記パネルＰのカム穴１５に係合する下部ガイド２５を突設し、前記クランク５５・６５が回動して前記係合穴３６・２２の穴縁ｑ・ｒに押し当たると、その押当力の反作用により、前記パネルＰが、前記クランク５５・６５の回動方向に応じて、前記カム穴３５・１５に沿って前記開口部Ｓの奥行方向Ｙ前後に平行に傾動して前記摺動位置と前記封止位置との間をシフトするように案内してなることを特徴とする。
【００１０】
請求項３に記載の発明は、請求項１又は２に記載のパネル装置Ｒにおいて、たとえば以下に示す図示実施の形態のとおり、前記パネルＰには、外側に臨む鍵操作用の小穴７５を前記鍵穴４７の位置に合わせて穿設し、その小穴位置の内側に前記錠前３０を備えてなることを特徴とする。
【発明の効果】
【００１１】
請求項１に記載の発明によれば、鍵棒を錠前の鍵穴に差し込み、正逆方向に回動して第１および第２作動部材を相反する上下方向に移動させると、リンクユニットにおいて、リンクが相反する方向に上下し、すると、上下のクランクが互いに反対向きに回動し、このクランクの回動方向に応じて、クランクがシフトガイド手段に押し当たる。すると、このときにパネルＰが受ける押当力の反作用により、パネルが、クランクの回動方向に応じて開口部の奥行方向前後に移動し、ガイドレール上をスライドする摺動位置と、シール部材に押し当たる封止位置との間をシフトする構成とし、壁体の開閉時、摺動位置において、パネルを、シール部材に当接することなくスムーズにスライドさせて開閉操作できる一方で、常時は、封止位置において、パネルを、シール部材に押し当てて枠体との間の隙間を塞いで確実にシールし遮音することができる。
【００１２】
更に、請求項１に記載の発明によれば、壁体を構成するパネルを個々に封止位置にシフトするとき、鍵棒による錠前の回動量を調節してパネルのシフト量を微調整し、これにより、すべてパネルをシール部材に確実に押し当てて密着させ気密性を担保する一方で、隣接する他のパネルとズレなく引き通し状態に列設して壁面の面一性を確保することができる。
【００１３】
請求項２に記載の発明によれば、鍵棒を錠前の鍵穴に差し込み、正逆方向に回動して第１および第２作動部材を相反する上下方向に移動させると、リンクユニットにおいて、リンクが相反する方向に上下し、すると、上下のクランクが互いに反対向きに回動し、このクランクの回動方向に応じて、上部のクランクが係合穴の穴縁に押し当たってガイドプレートを押圧すると共に、下部のクランクが係合穴の穴縁に押し当たって戸車ユニットを押圧する。すると、このときにパネルが受ける押圧力の反作用により、上下のガイドとカム穴の穴縁とが圧接するが、カム穴の穴縁も斜め向きであるため、パネルは、カム穴の穴縁の傾斜に従って奥行方向前後に平行に傾動して摺動位置と封止位置との間をシフトするため、パネルのシフト動作がスムーズで安定し、封止位置においては、パネルを、その上部と下部とでムラなくシール部材に適確に押し当てて、枠体との間の隙間をより一層確実にシールすることができる。
【００１４】
請求項３に記載の発明によれば、パネルの外側には、小穴だけで、鍵操作用にハンドル等の突起物が設けないので、壁面の面一性と美感性が損なわれることがなく、一方で、鍵操作用の小穴を通して鍵棒を鍵穴に差し込めば、パネル装置を、パネルの外側からも容易に操作することができる。
【図面の簡単な説明】
【００１５】
【図１】（Ａ）パネルが摺動位置にある本発明のパネル装置を示す斜視図、（Ｂ）パネルが封止位置にあるパネル装置を示す斜視図である。
【図２】（Ａ）パネルが摺動位置のパネル装置を示す正面図、（Ｂ）パネルが封止位置のパネル装置を示す正面図である。
【図３】パネル装置を、外側から見て示す斜視図である。
【図４】（Ａ）パネルが摺動位置のシフト状態を示すパネル装置の平面図、（Ｂ）パネルが封止位置のシフト状態を示すパネル装置の平面図である。
【図５】パネルの下横枠板の形状を示すパネルの横断面図である。
【図６】戸車ユニットの組立斜視図である。
【図７】パネルガイドユニットの分解斜視図である。
【図８】パネルガイドユニットの組立斜視図である。
【図９】錠前とリンクの組立体おとび鍵棒を示す斜視図である。
【図１０】（Ａ１）錠前とリンクの組立体を鍵棒の差込み状態で示す正面図、（Ａ２）同側面図、（Ｂ１）錠前とリンクの組立体を鍵棒の回動操作状態で示す正面図、（Ｂ２）同側面図である。
【図１１】（Ａ）パネルが摺動位置にある錠前の内部構造を示す縦断面図、（Ｂ）パネルが封止位置にある錠前の内部構造を示す縦断面図である。
【図１２】クランクの分解斜視図である。
【図１３】（Ａ）上部のクランクの作動状態を示す正面図、（Ｂ）下部のクランクの作動状態を示す正面図である。
【図１４】（Ａ）パネルが摺動位置のシフト状態を示すパネル装置の側面図、（Ｂ）パネルが封止位置のシフト状態を示すパネル装置の側面図である
【図１５】従来の壁体全体の壁面構造を示す正面図である。
【図１６】図１５の線Ｅ−Ｅ断面図である。
【発明を実施するための形態】
【００１６】
以下、図面を参照しつつ、本発明の実施形態について説明する。
【００１７】
図１（Ａ）は、パネルが摺動位置にある本発明のパネル装置を示す斜視図、（Ｂ）はパネルが封止位置にあるパネル装置を示す斜視図である。図２（Ａ）は、パネルが摺動位置のパネル装置を示す正面図、（Ｂ）はパネルが封止位置のパネル装置を示す正面図である。図３は、パネル装置を外側から見て示す斜視図である。本発明のパネル装置Ｒは、複数枚の金属製パネルを横一列に引き通し状態で並設し、例えば空調機やサーバ等を置いた通路との間を仕切る壁体（仕切壁）に適用する。図示例の壁体は、パネル装置Ｒにより、枠体Ｆと床面ｆで囲んだ開口部Ｓ内で、複数枚のパネルＰを、それぞれ天井側と床側の金属製ガイドレール１０・１１に沿って開閉方向Ｘにスライド自在とし、開時は開閉方向Ｘと直交する奥行方向Ｙ手前の摺動位置にシフトし、常時はシール材Ｃに押し当たる奥行方向Ｙ奥側の封止位置にシフトするように列設して構築してなる。
【００１８】
枠体Ｆには、上枠部ａと下枠部ｂのそれぞれ奥行方向Ｙ奥側にシール部材Ｃを接着している（図１４参照）。図示例のシール部材Ｃは、細長い中空のゴムパッキンからなる。シール部材Ｃは、スポンジや合成樹脂などを用いて形成できるが、少なくとも弾性を有する素材であることが望ましい。
【００１９】
図示例のパネルＰは、鋼板製パネルで、板本体１２と、板本体１２の内側（裏面側）に直角に屈曲した図中左右の縦枠板１２ａ・１２ｂ、上下の横枠板１２ｃ・１２ｄ、横枠板１２ｃ・１２ｄ間の溝形補強材１２ｅとで矩形扉状に形成してなる。板本体１２は、裏面の縦枠板１２ｄに沿って取付フレーム１３を固着し、下横枠板１２ｄと縦枠板１２ｃ・１２ｄの下部間にユニット収納空間１２ｆを形成している。取付フレーム１３は、溝形に曲げ成形した本体の一部を開口して錠前取付部１３ａを形成し、縦枠板１２ｂと反対側の側縁上下に、細いガイド溝１３ｂを有した一対のリンクガイド板部１３ｄ・１３ｅを曲げ起こしてなる。
【００２０】
更に、パネルＰの上横枠板１２ｃには、図４に示すように、長さ方向に間隔を置いて一対の軸逃げ穴１４を設け、図中右側の軸逃げ穴１４の縦枠板１２ｂ側に板逃げ穴３９を設けている。軸逃げ穴１４は、上横枠板１２ｃの長さ方向に対して斜め向きに平行に穿設した長穴からなる。板逃げ穴３９は、上横枠板１２ｃの長さ方向に沿って長い矩形穴からなる。一方、図５に示すように、下横枠板１２ｄには、長さ方向に間隔を置いて一対のカム穴１５を設け、図中右のカム穴１５の縦枠板１２ｂ側に板逃げ穴１６を設けている。カム穴１５は、穴縁の対向部位を円弧穴縁部分と直線穴縁部分ｍ・ｎとで形成した長穴で、直線穴縁部分ｍ・ｎを下横枠板１２ｄの長さ方向に対して斜め向きに平行に穿設している。
【００２１】
天井側ガイドレール１０は、図１および図２に示すように、長さ方向に逃げ溝１０ａをあけた溝形パイプ状をなし、逃げ溝１０ａの両側に断面Ｌ形のガイドリブ１０ｂを対称に凸設し、ガイドリブ１０ｂに一対の樹脂製ライナー１７を走行自在に係着し、ライナー１７を下向きに枠体Ｆの上枠部ａに敷設する。床側ガイドレール１１は、長さ方向に係合溝１１ａをあけた溝形パイプ状をなし、ガイド溝１１ａを上向きに床面ｆの凹溝に嵌め込んで敷設する。
【００２２】
パネル装置Ｒは、パネルＰの下端部に装着する戸車ユニット１９と、パネルＰの上端部に搭載するパネルガイドユニット２０と、取付フレーム１３の錠前取付部１３ａに取り付ける錠前３０と、錠前３０を操作して作動するリンクユニット４０と、パネルＰのシフトガイド手段Ｇとを備える。
【００２３】
戸車ユニット１９は、図６に示すように、断面コ状の溝形ブラケット１８内に、戸車ｗを一部突出させて転動自在に枢支した一対の戸車体２１を組み付け、溝形ブラケット１８の上板部１８ａ上に、長さ方向に間隔を置いて一対のガイド２５を突設する。更に、溝形ブラケット１８の上板部１８ａには、その片側端縁に幅方向に長方形の係合穴２２を設けてなる。ガイド２５は、ねじピン２３と、中心に軸穴２４ａの貫通した回転駒２４からなる。回転駒２４は、パネルＰのカム穴１５の穴幅と対応する径寸法の嵌合部分と、それより一段拡径な鍔状抜止め部分を設けて外周に掛け止め段部２４ｂを形成してなる。係合穴２２は、溝形ブラケット１８の上板部１８ａの幅方向に長い矩形の長穴からなる。
【００２４】
そこで、戸車ユニット１９は、図１および図２に示すように、パネルＰのユニット収納空間１２ｆ内に配置する一方、図６に示すように、ねじピン２３を回転駒２４に係合させてガイド２５となし、ねじピン２３を、パネルＰの下横枠板１２ｄの上方から、カム穴１５を通して溝形ブラケット１８の上板部１８ａにねじ込み、回転駒２４の掛け止め段部２４ｂを、回転駒２４がねじピン２３を中心に回転自在な状態で、図１および図２に示すようにカム穴１５の穴縁に係合させて、ガイド２５でパネルＰの下横枠板１２ｄに吊設している。
【００２５】
パネルガイドユニット２０は、図７および図８に示すように、細長い金属板のガイドプレート４５と、それぞれ一対の段付き係合軸２６、ガイドパイプ２７、中心に軸挿通穴２８ａを有する押え板２８を備える。ガイドプレート４５は、両端寄りに一対の掛け止め穴２９を設け、それら掛け止め穴２９の端部寄りに一対のカム穴３５を設け、片側のカム穴３５の端縁側に係合穴３６を設けている。掛け止め穴２９は、穴縁の対向部位を円弧穴縁部分と回り止めのための直線穴縁部分２９ａとで形成した長穴で、直線穴縁部分２９ａを板幅方向に合わせて穿設している。カム穴３５は、パネルＰの下横枠板１２ｄのカム穴１５に対応し、穴縁の対向部位を円弧穴縁部分と回り止めのための直線穴縁部分ｍ・ｎとで形成した長穴で、直線穴縁部分ｍ・ｎをガイドプレート４５の長さ方向に対して斜めに向きに穿設している。係合穴３６は、戸車ユニット１９の係合穴２２と対応し、ガイドプレート４５の幅方向に長い矩形の長穴からなる。
【００２６】
係合軸２６は、円筒部２６ａと、円筒部２６ａより一段細径な中間軸部２６ｂと、中間軸部２６ｂより一段細径な先端軸部２６ｃとからなる。円筒部２６ａには、中間軸部２６ｂ寄りに横穴３１を開けている。ガイドパイプ２７は、周面にＬ形のガイド穴２７ａをあけ、その図中上側の一端に環状鍔部２７ｂを設けてなる。環状鍔部２７ｂには、その周縁の対角部位を掛け止め穴２９に合わせ直線的に切り欠いて回り止め段部２７ｃを形成してなる。
【００２７】
パネルガイドユニット２０は、円筒部２６ａ内に図中下端の開口からコイルばね３２を入れて開口を蓋３３で塞いで係合軸２６を組み立て、係合軸２６を、掛け止め穴２９に通した状態でガイドパイプ２７に貫挿してから、横穴３１に先端軸部を嵌着して係合軸２６に摘みｈを取り付け、ガイドパイプ２７の環状鍔部２７ｂの回り止め段部２７ｃを掛け止め穴２９の直線穴縁部分２９ａに掛け止めて、係合軸２６を、中間軸部２６ｂと先端軸部２６ｃが掛け止め穴２９から突出した状態で、ガイドプレート４５に懸架し、次いで、先端軸部２６ｃと中間軸部２６ｂを順に軸挿通穴２８ａに通してから、押え板片２８をガイドプレート４５上にねじで止めて環状鍔部２７ｂを押え付け、これにより、係合軸２６をガイドプレート４５に垂設して組み立てられる。
【００２８】
そこで、パネルガイドユニット２０は、図４に示すように、パネルＰの上横枠板１２ｃ上に上部ガイド７０を介して搭載する。上部ガイド７０は、下部ガイド２５と同様、図８に示すように、ねじピン７１と、中心に軸穴７２ａの貫通した回転駒７２からなる。回転駒７２は、ガイドプレート４５のカム穴３５の穴幅と対応する径寸法の嵌合部分と、それより一段拡径な鍔状抜止め部分を設けて外周に掛け止め段部７２ａを形成してなる。そして、上部ガイド７０は、パネルＰの上方において、パネルガイドユニット２０に備えるカム穴３５と係合穴３６と、パネルＰの下方において、戸車ユニット１９に備える下部ガイド２５と、係合穴２２と、パネルＰの下横枠板１２ｄに有するカム穴１５とで、パネルＰのシフトガイド手段Ｇを構成している。
【００２９】
さて、パネルガイドユニット２０は、パネルＰの上横枠板１２ｃ上に載置する一方、ねじピン７１を回転駒７２に係合してガイド７０となし、ねじピン７１を、上方からカム穴３５を通して上横枠板１２ｃにねじ込んで、回転駒７２の掛け止め段部７２ｂを、回転駒７２がねじピン７１を中心に回転自在の状態で、カム穴３５の直線穴縁部分ｍ・ｎに係合し、図４に示すように、パネルガイドユニット２０をカム穴３５に沿って上横枠板１２ｃ上にスライド移動可能に搭載する。
【００３０】
錠前３０は、図９〜図１１に示すように、錠本体３７と、錠本体３７の鍵穴４７に抜き差しして回動操作する専用の鍵棒４８とからなる。錠本体３７は、錠ケース３８内に、回転体４１と、第１および第２作動部材として、一対のスライドブロック４２・４３を組み込んで構成されている。錠ケース３８は、浅底な矩形箱形をなし、片側の取付用側板部３８ａに縦長な一対の逃げ穴４９を開けてなる。回転体４１は、錠ケース３８内に横架した中心の枢軸４４と、枢軸４４をボス部４６ａの軸穴に嵌着して枢軸４４で回転自在に支持するプロペラ４６とからなる。ボス部４６ａには、回り止めの形状の鍵穴４７が貫設されている。スライドブロック４２・４３は、錠ケース３８のコーナーに合わせてＬ形ピースで形成され、それぞれ一部を凹ませて係止凹部４２ａ・４３ａを設ける一方、Ｌ形のアングル板片４２ｂ・４３ｂを取り付けてなる。そこで、錠本体３６は、アングル板片４２ｂ・４３ｂを逃げ穴４９から突出する一方、係止凹部４２ａ・４３ａにプロペラ４６を係止させた状態で、スライドブロック４２・４３を錠ケース３８内に長さ方向にスライド移動可能に配置して組み立てられる。
【００３１】
専用の鍵棒４８は、軸部４８ａが角棒状の回り止め形状で、その軸部４８ａの基端にＴ型の取手４８ｂを取り付けてなる。そこで、錠前３０は、錠本体３７を、取付フレーム１３の錠前取付部１３ａに嵌め入れ、鍵穴４７を位置合わせしてから、側板部３８ａの両端を取付フレーム１３にねじで止めてパネルＰに固定する。パネルＰには、板本体１２に、図３に示すように、鍵操作用の小穴７５を鍵穴４７の位置に対応させて穿設し、錠本体３７は、小穴７５に鍵穴４７を合わせて取付フレーム１３に組み付ける。従って、錠前３０は、必要に応じて、パネルＰの内側と外側の両方から、任意に鍵棒４８の軸部４８ａを鍵穴４７に差し入れて回動操作できるようになっている。
【００３２】
即ち、錠前３０は、鍵棒４８を鍵穴４７に差し入れて正逆方向に回動させると、鍵棒４８の回動方向に応じて、回転体４１のプロペラ４６を、枢軸４４を中心として回転してスライドブロック４２・４３を相反する上下方向に直線往復動させる構造になっている。錠前３０は、これらスライドブロック４２・４３にリンクユニット４０を連結している。
【００３３】
リンクユニット４０は、図９に示すように、スライドブロック４２・４３のアングル板片４２ｂ・４３ｂに基端を連結するリンク５０・６０と、リンク５０・６０の先端を連結するクランク５５・６５を備える。リンク５０は、細長い金属プレートで、先端に係止穴５１を有してなる。このリンク５０は、基端をスライドブロック４２のアングル板片４２ｂにねじで止めて連結する一方、先端をリンクガイド板部１３ｄのガイド溝１３ｂに差し込み、中間部を板挟み片５２の差込溝に差し込んで押え、取付フレーム１３に沿って立てて上下に直線往復移動可能に組み付ける（図１・図２参照）。一方、リンク６０は、細くて短尺な金属プレートで、先端に係止穴５３を有してなる。このリンク６０は、基端をスライドブロック４３のアングル板片４３ｂにねじで止めて連結する一方、先端を、リンクガイド板部１３ｅのガイド溝１３ｂに差し込んで、取付フレーム１３に沿って立てて上下に直線往復移動可能に組み付ける。
【００３４】
リンクユニット４０において、クランク５５・６５は、図１２に示すように、Ｌ形に似た曲げ板状で、第１アーム部５５ａ・６５ａと第２アーム部５５ｂ・６５ｂを直角な向きに延ばし、両アーム部が交差する位置に軸穴５４を設け、枢軸５６を、軸穴５４に通して段付き取付板片５７の取付穴５７ａに嵌着し、図１３に示すように、段付き取付板片５７に枢軸５６を中心として回動自在に組み付ける。そのうち上部のクランク５５は、図１および図２に示すように、第１アーム部５５ａを係止穴５１に係止してリンク５０と連結する一方、図４に示すように、第２アーム部５５ｂを逃げ穴３９に通して係合穴３６と係合し、段付き取付板片５７を取付フレーム１３の上端にねじで止める。他方、下部のクランク６５は、図１および図２に示すように、第１アーム部６５ａを係止穴５３に係止してリンク６０と連結する一方、図５に示すように、第２アーム部６５ｂを逃げ穴１６に通して係合穴２２に係合し、段付き取付板片５７を取付フレーム１３の下端にねじで止めてなる。
【００３５】
そこで、図示パネル装置では、錠前３０において、鍵棒４８を鍵穴４７に差し込み、図１１に示すように、正逆方向Ａ・Ｂに所定角度回動して回転体４１のプロペラ４６を回転し、スライドブロック４２・４３を相反する方向に上下移動させる。すると、リンクユニット４０において、リンク５０・６０が、図１０に示すように相反する向きに上下に移動し、すると、クランク５５・６５が、図１３に示すように枢軸５６を中心として互いに反対向きに回動する。すると、クランク５５・６５の回動方向に応じて、クランク５５・６５の第２アーム部５５ｂ・６５ｂがそれぞれ係合穴２２・３６の対向する直線穴縁部分ｑ・ｒのいずれかに押し当たり、上部のクランク５５でパネルガイドユニット２０を押圧し、下部のクランク６５で戸車ユニット１９を押圧する。すると、このときにパネルＰが受ける押圧力の反作用により、上下のガイド２５・７０における回転駒２４・７２の掛け止め段部２４ａ・７２ａと、カム穴１５・３５の直線穴縁部分ｍ・ｎとが圧接するが、直線穴縁部分ｍ・ｎが斜め向きであるため、パネルＰは、カム穴１５・３５の直線穴縁部分ｍ・ｎの傾斜に従って、図４（Ａ）に示す摺動位置と、（Ｂ）に示す封止位置との間を、戸車ユニット１９とリンクユニット４０に対し平行に傾動する構造になっている。
【００３６】
さて、図示パネル装置Ｒにおいて、パネルＰを含む同様な複数枚のパネルを枠体Ｆ内に横一列に列設して壁体（仕切壁）を構築する場合は、図８に示すガイドユニット２０において、摘みｈを摘み、左右の係合軸２６を、それぞれガイドパイプ２７のＬ形ガイド穴２７ａの縦溝に沿ってコイルばね３２に抗して押し下げ、ガイドパイプ２７内に納まる退避位置に引っ込めてから、軸芯周り一方向に回し、摘みｈの軸部をガイド穴２７ａの横溝に掛けて止める。それから、パネルＰを持ち上げ、戸車ユニット１９の戸車ｗを床側ガイドレール１１のガイド溝１１ａに係合させて立てる一方、係合軸２６の位置を、それぞれ天井側ガイドレール１０に係着したライナー１７の係合軸穴（不図示）に合わせてから、摘みｈを摘み、左右の係合軸２６を軸芯周り他方向に回して係合軸２の掛け止めを外す。すると、係合軸２６がコイルばね３２のばね付勢力で跳ね上がって先端軸部２６ｃがライナー１７の係合軸穴に係合させる。すると、パネルＰは、図１４（Ａ）に示すように、シール材Ｃとの間に隙間ｄのある位置で、天井側と床側ガイドレール１０・１１上をスライドする摺動位置で枠体Ｆに、いったん吊り込まれる。
【００３７】
次いで、図示パネル装置Ｒでは、摺動位置にあるパネルＰの、例えば外側から、図３に示すように、鍵棒４８を、鍵操作用小穴７５に通して錠前３０の鍵穴４７に差し込み、図１１（Ｂ）に示すように正方向（図中反時計方向）Ａに所定角度回動して回転体４１のプロペラ４６を回転し、スライドブロック４２・４３を相離れる上下方向に移動させる。すると、リンクユニット４０において、リンク５０・６０が、図１０（Ｂ１）・（Ｂ２）に示すように相離れる上下方向に移動し、すると、クランク５５・６５が、図１３中実線で示すように第１アーム部５５ａ・６５ａの相離れる反対向きに回動する。すると、クランク５５・６５の回動方向に応じて、図４（Ｂ）に示すように、上部クランク５５の第２アーム部５５ｂが係合穴３６の片側の直線穴縁部分ｑに押し当たってパネルガイドユニット２０を押圧すると共に、図５に示すように、下部クランク６５の第２アーム部６５ｂが係合穴２２の片側の直線穴縁部分ｑに押し当たって戸車ユニット１９を押圧する。すると、このときにパネルＰが受ける押圧力の反作用により、上下のガイド２５・７０における回転駒２４・７２の掛け止め段部２４ａ・７２ａと、カム穴１５・３５の片側の直線穴縁部分ｍとが圧接するが、直線穴縁部分ｍが斜め向きであるため、パネルＰは、戸車ユニット１９とリンクユニット４０を摺動位置に残し、カム穴１５・３５の直線穴縁部分ｍの傾斜に従って奥行方向Ｙ後方に平行に傾動し、シール部材Ｃに押し当たる封止位置にシフトして枠体Ｆとの間の隙間ｄを塞いだ状態で枠体Ｆに吊り込まれる。
【００３８】
しかる後、図示省略するが、他のパネルも、それぞれ同様に摺動位置にいったん吊り込んでから、鍵棒４８を、鍵操作用小穴７５に通して錠前３０の鍵穴４７に差し込み、正方向Ａに所定角度回動操作し、各パネルを、奥行方向Ｙ後方に平行に傾動してシール部材Ｃに押し当たる同じ封止位置にシフトし、順に枠体Ｆに気密に吊り込んで引き通し状態の横一列に列設し、外側の壁面が面一な壁体を構築する。
【００３９】
図示パネル装置Ｒでは、このように個々にパネルを封止位置にシフトするとき、鍵棒４８による錠前３０の回動量を調節してパネル毎にシフト量を微調整し、これにより、すべてパネルをシール部材Ｃに確実に押し当て密着させて気密性を担保する一方で、隣接する他のパネルとズレなく引き通し状態に列設して壁面の面一性を確保することができる。
【００４０】
次に、図示パネル装置Ｒにおいて、例えば空調機やサーバ等を搬出するために、壁体を開けるときは、封止位置にあるパネルＰの、例えば外側から、図３に示すように、鍵棒４８を、鍵操作用小穴７５に通して錠前３０の鍵穴４７に差し込み、図１１（Ａ）に示すように逆方向（図中時計方向）Ｂに所定角度回動して回転体４１のプロペラ４６を回転し、スライドブロック４２・４３を相接近する上下方向に移動させる。すると、リンクユニット４０において、リンク５０・６０が、図１０（Ａ１）・（Ａ２）に示すように相接近する上下に移動し、すると、クランク５５・６５が、図１３中鎖線で示すように第１アーム部５５ａ・６５ａの相接近する反対向きに回動する。すると、クランク５５・６５の回動方向に応じて、図４（Ａ）に示すように、上部クランク５５の第２アーム部５５ｂが係合穴３６の他側の直線穴縁部分ｒに押し当たってパネルガイドユニット２０を押圧すると共に、下部クランク６５の第２アーム部６５ｂが係合穴２２の他側の直線穴縁部分ｒに押し当たって戸車ユニット１９を押圧する。すると、このときにパネルＰが受ける押圧力の反作用により、上下のガイド２５・７０における回転駒２４・７２の掛け止め段部２４ａ・７２ａと、カム穴１５・３５の他側の直線穴縁部分ｎとが圧接するが、直線穴縁部分ｎも斜め向きであるため、パネルＰは、カム穴１５・３５の直線穴縁部分ｎの傾斜に従って奥行方向Ｙ手前に平行に傾動して摺動位置にシフトし、戸車ユニット１９とリンクユニット４０と合体する。しかる後、パネルＰをガイドレール１０・１１に沿ってスライドし、空調機やサーバ等を搬出できる広さの開口部Ｓを壁体に開ける。
【００４１】
ところで、図示パネル装置Ｒは、必要に応じて、パネルＰを枠体Ｆから簡単に取り外すこともできる。その場合は、パネルＰを、上述のように摺動位置にシフトさせてから、図８に示すガイドユニット２０において、摘みｈを摘み、左右の係合軸２６を、それぞれガイドパイプ２７のＬ形ガイド穴２７ａの縦溝に沿ってコイルばね３２に抗して押し下げ、ガイドパイプ２７内に納まる退避位置に引っ込めて天井側ガイドレール１０上のライナー１７との係着を外してから、軸芯周り一方向に回し、摘みｈの軸部をガイド穴２７ａの横溝に掛けて止める。それから、パネルＰを持ち上げれば、簡単に枠体Ｆから取り外すことができる。
【符号の説明】
【００４２】
Ｃ              シール部材
Ｇ              シフトガイド手段
Ｆ              枠体
Ｐ              パネル
Ｒ              パネル装置
Ｓ              開口部
Ｘ              開閉方向
Ｙ              奥行方向
ｆ              床面
ｍ・ｎ・ｑ・ｒ  直線穴縁部分
ｗ              戸車
１０            天井側ガイドレール
１１            床側ガイドレール
１５・３５      カム穴
１９            戸車ユニット
２０            パネルガイドユニット
２２・３６      係合穴
２５・７０      ガイド
３０            錠前
４０            リンクユニット
４５            ガイドプレート
４７            鍵穴
４８            鍵棒
５０・６０      リンク
５５・６５      クランク
５５ａ・６５ａ  第１アーム部
５５ｂ・６５ｂ  第２アーム部
７５            鍵操作用小穴
【図１】
2010261148.tif 000003
【図２】
2010261148.tif 000004
【図３】
2010261148.tif 000005
【図４】
2010261148.tif 000006
【図５】
2010261148.tif 000007
【図６】
2010261148.tif 000008
【図７】
2010261148.tif 000009
【図８】
2010261148.tif 000010
【図９】
2010261148.tif 000011
【図１０】
2010261148.tif 000012
【図１１】
2010261148.tif 000013
【図１２】
2010261148.tif 000014
【図１３】
2010261148.tif 000015
【図１４】
2010261148.tif 000016
【図１５】
2010261148.tif 000017
【図１６】
2010261148.tif 000018